(57)【特許請求の範囲】
【請求項１】
透明フィルムの裏面に剥離性を有する剥離層を所定のパターンにて印刷し、前記透明フィルムの裏面及び剥離層を覆うように印刷層を形成し、該印刷層上に不可逆的に弾性変化する特性を有するクッション層を形成し、該クッション層上に粘着層を形成してなる改ざん防止ラベルであって、該改ざん防止ラベルを貼って剥がした際に、前記透明フィルムから剥離層が剥離して該剥離層上に形成された印刷層が他の透明フィルム上に形成された印刷層から浮き剥がれ、該浮き剥がれた剥離層及び印刷層が前記クッション層に食い込んだ状態で前記クッション層と透明フィルムの間に留まることを特徴とする改ざん防止ラベル。
【請求項２】
前記クッション層は、ウレタンアクリレート系、ポリエステルアクリレート系、ポリマーのアクリルモノマー溶解物のいずれかで形成することを特徴とする請求項１に記載の改ざん防止ラベル。
【請求項３】
前記透明フィルムと剥離層、印刷層との境界面を凹凸としたことを特徴とする請求項１に記載の改ざん防止ラベル。
【請求項４】
透明フィルムの裏面に剥離性を有する剥離層を所定のパターンにて印刷し、前記透明フィルムの裏面及び剥離層を覆うように印刷層を形成し、該印刷層上に不可逆的に弾性変化する特性を有するクッション層を形成し、該クッション層上に粘着層を形成したことを特徴とする改ざん防止ラベルの製造方法。
【発明の詳細な説明】
【０００１】
【発明の属する技術分野】
本発明は、被着体（ラベルを貼る相手の素材面）に粘着剤を残さずに、はがしたことを判別できるラベルに関するものである。
【０００２】
【従来の技術】
従来より、容器等に収納した内容物の改ざん防止を目的として、開封事実のないことを保証する改ざん防止ラベルが存在する。従来の、このようなラベルとしては、ラベルを貼り付けた容器などの被着体からラベルを剥すと、被着体側に印刷層の一部及び粘着層が残留し、ラベル及び被着体双方にラベルを剥した後が残るものが広く普及している。
【０００３】
かかるラベル構造を図７に基づいて説明する。図７（ａ）は従来の改ざん防止ラベルの構成図である。図７（ａ）に示すように、従来の改ざん防止ラベル101は、透明フィルム102の裏面に剥離性を有する剥離層103を印刷し、透明フィルム102の裏面及び剥離層103を覆うように印刷層104を形成し、該印刷層上に粘着層105を形成している。
【０００４】
図７（ｂ）に示すように、被着体106に改ざん防止ラベル101を貼り付けて剥がす際に、透明フィルム102から剥離層103が剥離して、剥離層103上に形成された印刷層104ａと印刷層104ａ上に形成された粘着層105ａが透明フィルム102の裏面に形成された印刷層104ｂと印刷層104ｂ上に形成された粘着層105ｂから切断され、被着体106上に残る。
【０００５】
これにより、剥がした後の改ざん防止ラベル101は、剥離層103を形成したパターンが表れ改ざん防止ラベル101を剥がしたことを認識することができ、被着体106に残された印刷層104ａによっても貼ってあった改ざん防止ラベル101が剥がされたことを知ることができる。
【０００６】
【発明が解決しようとする課題】
しかしながら、上記従来のような改ざん防止ラベルを使用した場合には、被着体側に残った粘着剤の残留片が内容物に混入する恐れがあり、特に飲料、食品、医薬品、化粧品などの容器に用いるには好適でないという問題があった。また、容器側に付着した残留片が容器の外観を害し、残留片の粘着性がゴミを付着させるという問題もあった。
【０００７】
そこで、本発明は、改ざん防止ラベルを剥がしたことを認識することができるとともに、被着体に粘着剤が残ることのない改ざん防止ラベルを提供することを目的とする。
【０００８】
【課題を解決するための手段】
上記課題を解決するために本発明に係る改ざん防止ラベルは、透明フィルムの裏面に剥離性を有する剥離層を所定のパターンにて印刷し、前記透明フィルムの裏面及び剥離層を覆うように印刷層を形成し、該印刷層上に不可逆的に弾性変化する特性を有するクッション層を形成し、該クッション層上に粘着層を形成してなる改ざん防止ラベルであって、該改ざん防止ラベルを貼って剥がした際に、前記透明フィルムから剥離層が剥離して該剥離層上に形成された印刷層が他の透明フィルム上に形成された印刷層から浮き剥がれ、該浮き剥がれた剥離層及び印刷層が前記クッション層に食い込んだ状態で前記クッション層と透明フィルムの間に留まることを特徴とする。
【０００９】
【発明の実施の形態】
[第一実施形態]
本発明に係る改ざん防止ラベルの実施形態について、図を用いて説明する。図１は本実施形態にかかる改ざん防止ラベルの使用状態の説明図である。
【００１０】
図１に示すように、本実施形態の改ざん防止ラベル１は、飲料、食品、医薬品、化粧品などの容器に収納した内容物の改ざん防止を目的として、開封事実のないことを保証するものであり、帯状、正方形等の様々な形状に形成され、容器Ａの蓋体Ａ１と容器本体Ａ２との分離層Ａ３の全周又は、容器ＢのキャップＢ１と容器本体Ｂ２との分離層Ｂ３の一部に貼り付けて使用される。
【００１１】
かかるラベル構造を図２に基づいて説明する。図２に示すように、改ざん防止ラベル１は、透明フィルム２の裏面に剥離性を有する剥離層３を印刷し、透明フィルム２の裏面及び剥離層３を覆うように印刷層４を形成し、該印刷層４上にクッション性と皮膜性を有するクッション層５を形成し、該クッション層５上に粘着層６を形成している。また、透明フィルム２の表面には、特殊なマット加工を施してもよい。
【００１２】
透明フィルム２は、ビニル、ポリプロピレン、ポリスチレン等の透明な高分子フィルムにて形成された両面インライン製膜易接着コート処理品であり、表面にオリジナル印刷を施すことができる。
【００１３】
剥離層３は、ＵＶ（紫外線硬化型）シリコン樹脂にて形成されている。また、剥離層３は、シリコン系、テフロン（登録商標）系、マット粒子系、ステアリルアクリレート等高級アルコールのアクリル酸エステルに代表される油脂系、ニトロセルロースに代表されるセルロースエステル、エーテル系にて形成してもよい。剥離層３は、「開封済」等のパターンにて所定間隔で複数、凸版印刷、フレキソ印刷、スクリーン印刷等により形成している。
【００１４】
印刷層４は、容器Ａ、Ｂに貼り付けた改ざん防止ラベル１を剥がした際に現れる印刷を施したもので、改ざん防止ラベル１を剥がした際に剥離する剥離層３のパターン表示する。
【００１５】
クッション層５は、ＵＶ樹脂又はホットメルト、ドライラミネート等の手段を用いて同一ライン上で処理できるコーティング層を塗布、又はラミネートすることにより形成される。クッション層５として、ウレタンアクリレート系、ポリエステルアクリレート系、ポリマーのアクリルモノマー溶解物等を用いる。これらのウレタンアクリレート系、ポリエステルアクリレート系、ポリマーのアクリルモノマー溶解物等は、塗布後縮むテンションを持って固化し、一部が剥離するとこの部分が縮み、不可逆的に弾性変化する特性を有する。
【００１６】
粘着層６は、印刷層４上にゴム弾性を持った各種粘着剤を塗布することにより形成される。また、粘着層６は、基材を有する両面粘着テープの基材が４〜５０μのフィルムとしてもよく。被着体によって、粘着剤あるいは基材を有する両面粘着テープの粘着特性を変更することができる。
【００１７】
図３に示すように、被着体である蓋体Ｂ１と容器本体Ｂ２との分離層Ｂ３の一部に貼り付けられた改ざん防止ラベル１を剥がす際に、透明フィルム２から剥離層３が剥離して、剥離層３上に形成された印刷層４ａが透明フィルム２の裏面に形成された印刷層４ｂから切断される。そして、剥離した剥離層３は、クッション層５の皮膜性とクッション性によりクッション層５に食い込んだ状態で改ざん防止ラベル１とともに被着体から剥がされる。
【００１８】
図４に示すように、剥がした後の改ざん防止ラベル１は、クッション層５の不可逆的な弾性変形により、剥離層３及びこの剥離層３に重なった一部の印刷層４ａが透明フィルム２から剥離し、クッション層５が縮むことにより、透明フィルム２と剥離層３の間に隙間Ｓが生じ、印刷層４ａと印刷層４ｂの透明フィルム２からの位置にずれが生じる。すなわち、剥離層３を設けた領域（印刷層４ａ）は半透明となり、剥離層３を設けていない領域（印刷層４ｂ）は完全な状態で留まり、剥離層３を形成した「開封済」等のパターンが表れる。これにより、一度剥がした改ざん防止ラベル１を再度、被着体に貼り直したとしても一度剥がしたことを認識することができるとともに、被着体に粘着層６、印刷層４ａ、剥離層３が残留することがない。
【００１９】
このように、改ざん防止ラベル１を貼って剥がした際に、透明フィルム２から剥離層３が剥離して剥離層３上に形成された印刷層４ａが他の透明フィルム２上に形成された印刷層４ｂから浮き剥がれ、浮き剥がれた印刷層４ａがクッション層５に食い込んだ状態でクッション層５と透明フィルム２の間に留まるよう構成したことにより、改ざん防止ラベル１を剥がしたことを認識することができるとともに、被着体に粘着剤が残ることがなく、被着体の外観を衛生的に保つことができる改ざん防止ラベル１を提供することができる。
【００２０】
次に、改ざん防止ラベル１の製造方法について説明する。透明フィルム２の裏面に離型効果のある成分よりなる剥離層３を印刷する。剥離層３を覆う様に必要な色数の印刷(印刷層４)を施し、印刷層４を覆う様にクッション性と皮膜性を持つＵＶ樹脂又はホットメルト、ドライラミネート等の手段を用いて同一ライン上で処理できるコーティング層(クッション層５)を塗布、又はラミネートする。そして、クッション層５を覆う様に粘着剤(粘着層６)を塗布する。
【００２１】
粘着層６に離型紙、あるいは離型フィルムをラミネートし、表面側(透明フィルム２側)より、必要な形状の抜き刃型で抜く（粘着層６まで刃を入れる）。そして、不要な部分のマット加工フィルムを除去し、スリットやシートカットといった納入形態に合わせて跡加工する。
【００２２】
[他の実施形態]
次に本発明に係る改ざん防止ラベルの他の実施形態について図を用いて説明する。図５は本実施形態にかかる改ざん防止ラベルの断面図である。上記第一実施形態と説明の重複する部分については、同一の符号を付して説明を省略する。
【００２３】
図５に示すように、本実施形態にかかる改ざん防止ラベル11は、透明フィルム２、剥離層３、印刷層４に代えて透明フィルム12、剥離層13、印刷層14とし、透明フィルム12と剥離層13、印刷層14との境界面Ｈに梨地模様等の凹凸を形成したものである。
【００２４】
このように、境界面Ｈに梨地模様等を形成することにより、改ざん防止ラベル11を剥がして透明フィルム12と剥離層13との間に隙間Ｓが生じた際に、剥離層13を設けていない領域（印刷層14ｂ）での表示は変化しないのに対し、剥離層13を設けた領域（印刷層14ａ）の透明度はいっそう低下する。これにより、剥離層13を形成した「開封済」等のパターンをよりはっきり認識することができる。
【００２５】
なお、商品に改ざん防止ラベル１が貼ってあることを購買者に周知できない場合には、図６に示すように、容器Ｂの改ざん防止ラベル１を貼り付け位置に「開封済」等の文字15を補助的に表示してもよい。
【００２６】
【発明の効果】
以上説明したように、改ざん防止ラベルを透明フィルムの裏面に剥離性を有する剥離層を所定のパターンにて印刷し、前記透明フィルムの裏面及び剥離層を覆うように印刷層を形成し、該印刷層上に不可逆的に弾性変化する特性を有するクッション層を形成し、該クッション層上に粘着層を形成してなる改ざん防止ラベルであって、該改ざん防止ラベルを貼って剥がした際に、前記透明フィルムから剥離層が剥離して該剥離層上に形成された印刷層が他の透明フィルム上に形成された印刷層から浮き剥がれ、該浮き剥がれた剥離層及び印刷層が前記クッション層に食い込んだ状態で前記クッション層と透明フィルムの間に留まるよう構成した。
【００２７】
これにより、改ざん防止ラベルを剥がしたことを認識することができるとともに、被着体に粘着剤が残ることがなく、被着体の外観を衛生的に保つことができる改ざん防止ラベルを提供することができる。
【図面の簡単な説明】
【図１】第一実施形態にかかる改ざん防止ラベルの使用状態の説明図である。
【図２】改ざん防止ラベルの断面図である。
【図３】改ざん防止ラベルの剥がす際の改ざん防止ラベルの変形を説明する図である。
【図４】剥がした後の改ざん防止ラベルの断面図である。
【図５】他の実施形態にかかる剥がした後の改ざん防止ラベルの断面図である。
【図６】改ざん防止ラベルの使用状態の説明図である。
【図７】従来の改ざん防止ラベルの説明図である。
【符号の説明】
Ａ、Ｂ    …容器
Ａ１  …蓋体
Ａ２、Ｂ２  …容器本体
Ａ３、Ｂ３  …分離層
Ｂ１  …キャップ
１    …改ざん防止ラベル
２    …透明フィルム
３    …剥離層
４、14    …印刷層
５    …クッション層
６    …粘着層
11    …改ざん防止ラベル
12    …透明フィルム
13    …剥離層
15    …文字
【図１】
0003690673.tif 000002
【図２】
0003690673.tif 000003
【図３】
0003690673.tif 000004
【図４】
0003690673.tif 000005
【図５】
0003690673.tif 000006
【図６】
0003690673.tif 000007
【図７】
0003690673.tif 000008